Podtech/llm-jp-corpus-v4-ja_patent huggingface dataset:
(57)【要約】【課題】  複数の線材を簡易且つ確実に結束するための、これまでに無い新規な結束具を提供することにある。【解決手段】  線材結束具１０は、平板な本体部２０から同一方向へ起立する４本の起立部３０を備える。起立部３０は、その起立部３０，３０間で線材８０，８０を挟み込む役割を有する。また、４本の起立部３０は、点対称に設けられる。さらに、起立部３０は、その先端側に線材の抜脱を防止するための返し３１を備える。また、起立部３０は、その根元側を線材の形状に合致する形状３２に形成する。【選択図】  図２
2020106057.tif 000002
【特許請求の範囲】
【請求項１】
複数の線材を結束するための線材結束具であって、
平板な本体部から同一方向へ起立し線材を挟み込む４本の起立部を点対称に備えたことを特徴とする線材結束具。
【請求項２】
起立部の先端側に線材の抜脱を防止するための返しを備えたことを特徴とする請求項１記載の線材結束具。
【請求項３】
起立部の根元側を線材の形状に合致する形状に形成したことを特徴とする請求項１又は２記載の線材結束具。
【発明の詳細な説明】
【技術分野】
【０００１】
本願発明は、線材を結束するための線材結束具に関するものである。
【背景技術】
【０００２】
丸棒や全ネジなどの線材を結束するために、従来は針金などを巻き付けていた。しかし、これだと作業する作業者によって完成度がバラバラであったり、作業に時間がかかっていた。そこで、均一な品質及び作業の効率化を図るために様々な結束具が開発されてきた（特許文献１及び２等）
【先行技術文献】
【特許文献】
【０００３】
【特許文献１】再表２０１４−１２５６０１号公報
【特許文献２】意匠登録第１３８５８４７号公報
【発明の概要】
【発明が解決しようとする課題】
【０００４】
本願発明者は、これまでに無い新規な結束具を提供すべく鋭意試験・研究を行い、本願発明を完成するに至った。
【課題を解決するための手段】
【０００５】
本願発明の第１の発明は、複数の線材を結束するための線材結束具であって、平板な本体部から同一方向へ起立し線材を挟み込む４本の起立部を点対称に備えたことを特徴とするものである。
第２の発明は、起立部の先端側に線材の抜脱を防止するための返しを備えたことを特徴とする同線材結束具である。
第３の発明は、起立部の根元側を線材の形状に合致する形状に形成したことを特徴とする同線材結束具である。
ここで、「線材」は、円形及び円形以外の異形材を問わず、その太さも問わない。また、２本の線材は同一形状の線材どうしであってもよいし、異形形状の線材どうしであってもよい。
また、「線材結束具」の材質は、特に限定するものではなく、プラスチック製（合成樹脂製）、ビニール製（ナイロン系等）、金属製（鉄製、非鉄製を問わない）、ゴム製など適宜最適な材質を選定できる。
【発明の効果】
【０００６】
上記した本願発明によれば、以下のような効果を有する。
（１）極めて簡単に複数の線材を結束できる。
（２）結束の質も作業者によって異なるものではなく均一である。
（３）４本の起立部の位置を変更することで、複数の線材の任意の交差角度に柔軟に対応することができる。
【図面の簡単な説明】
【０００７】
【図１】本願発明に係る線材結束具の第１実施形態を説明する説明図（１）。
【図２】本願発明に係る線材結束具の第１実施形態を説明する説明図（２）。
【図３】本願発明に係る線材結束具の第１実施形態を説明する説明図（３）。
【図４】本願発明に係る線材結束具の第２実施形態を説明する説明図。
【発明を実施するための形態】
【０００８】
本願発明の実施形態を図面に基づいて説明する。
図１〜図３は、本願発明に係る線材結束具の第１実施形態を説明する説明図である。
図１に図示するように、線材結束具１０は、平板な本体部２０から同一方向へ起立する４本の起立部３０を備える。
【０００９】
起立部３０は、その起立部３０，３０間で線材（図示省略）を挟み込む役割を有する。また、４本の起立部３０は、点対称に設けられる。それにより、２本の線材の任意の交差角度に柔軟に対応することができる。さらに、起立部３０は、その先端側に線材の抜脱を防止するための返し３１を備える。また、起立部３０は、その根元側を線材の形状に合致する形状３２に形成する。それにより、線材を確実に結束することができる。
【００１０】
図２に図示するように、線材結束具１０は、交差する線材８０，８０を結束するために使用することができる。この時、交差する線材８０，８０の交差角度が９０度であれば、４本の起立部３０は、正方形の形に設置すれば良い（線材８０，８０が同一形状の場合）。また、交差する線材８０，８０の交差角度が９０度以外であれば、４本の起立部３０は、平行四辺形の形に設置すれば良い。
【００１１】
図３に図示するように、線材結束具１０は、並列する線材８０，８０を結束するためにも使用することができる。この時、起立部３０の長さを長くすることで、３本以上の並列する線材８０，８０，…を結束することもできるし、並列する線材と交差する線材の混在したものでも結束することができる。
【００１２】
図４は、本願発明に係る線材結束具の第２実施形態を説明する説明図である。
図４（ａ）に図示するように、線材結束具４０は、１枚の板材５０を折曲して形成されるものである。折曲した板材５０から本体部６０と起立部７０（返し７１）を形成し、線材結束具４０を完成する。
【００１３】
そして、図４（ｂ）に図示するように、線材結束具４０は、交差する線材８０，８０を結束することができる。なお、図示省略するが、線材結束具４０は、第１実施形態の線材結束具１０と同じように、並列する線材８０，８０を結束することもできる。
【産業上の利用可能性】
【００１４】
本願発明である線材結束具は、複数の線材を簡易且つ確実に結束するために幅広く利用できるものである。
【符号の説明】
【００１５】
（第１実施形態）
１０：線材結束具
２０：本体部
３０：起立部
３１：返し
３２：形状（起立部の根元側の形状）
８０：線材
【００１６】
（第２実施形態）
４０：線材結束具
５０：板材
６０：本体部
７０：起立部
７１：返し
８０：線材
【図１】
2020106057.tif 000003
【図２】
2020106057.tif 000004
【図３】
2020106057.tif 000005
【図４】
2020106057.tif 000006
(57)【要約】【課題】現在、一般家庭で使用されることの少なくないフィルターを用いて空気を清浄化する空気清浄機について、機能を十分に活用できない事例がある。この事例にはフィルターを用いた空気清浄機周辺の空気の清浄化は行われるが、空気が循環しないため、空気清浄機から遠い空気の清浄化が行われにくいという、フィルターを用いた空気清浄機の課題が見られる。【解決手段】本発明の循環型空気清浄化システムを用いることで、室内の空気を循環し、室内のすべての空気を空気清浄機に送ることが可能となる。本システムでは、サーキュレーター（商標登録）と空気清浄機を１つのシステムとして活用し、室内に空気の流れを作る、というものである。本発明を用いることによって、従来に比べ、室内の空気の洗浄化を効率的に行うことが可能となる。【特許請求の範囲】
【請求項１】
サーキュレーター（登録商標）とフィルターを用いた空気清浄機を１つのシステムとして扱い、室内に空気の流れを作ることを特徴とする空気清浄化システム。本システムを用いることで、従来に比べ効率的な空気清浄化が可能。
【発明の詳細な説明】
【技術分野】空気清浄化【０００１】本発明は、室内の空気を循環させることで、より確実な空気清浄を可能にする空気清浄機に関するものである。
【背景技術】
【０００２】空気清浄機には様々なものがあるが、本発明では、フィルターに空気を通すことで、埃などを取り除き、空気を清浄化する型のものを取り扱う。以下、このような空気清浄機をフィルター型空気清浄機と呼ぶ。【０００３】現在、一般家庭の空気清浄機普及率が高くなってきている。しかし、空気清浄機を効果的に使用できていない事例が少なくない。フィルター型空気清浄機において、最も重要なことは、室内の空気を循環させ、すべての空気をフィルターに通すことである。【０００４】フィルター型空気清浄機が周辺の空気のみを正常化し、室内の空気が十分に正常化されないことを防ぐ方法として、本発明では、室内の空気を循環させる仕組みとフィルター型空気清浄機を併せて１つのシステムとして取り入れることを提案する
【発明が解決しようとする課題】
【０００６】フィルター型空気清浄機を利用する際に、室内の空気を循環させることが難しく、空気清浄機の機能を十分に活用できないという事例を解決することを課題とする。
【課題を解決するための手段】
【０００７】室内の空気を循環させ、効率よくフィルター型空気清浄機を機能させる手段として、部屋の対角線上にサーキュレーター（登録商標）とフィルター型空気清浄機を設置する。この際、サーキュレーター（登録商標）を室内上部、フィルター型空気清浄機を室内下部に設置する。これは、埃などが下部に堆積しやすいしやすいためである。
【発明の効果】
【０００８】室内の空気がフィルター型空気清浄機とサーキュレーター（登録商標）のシステムによって循環するため、部屋全体の空気の清浄化が可能。フィルター型空気清浄機のみのシステムに比べ、より高速で、偏りのない空気清浄化を達成することが出来る。
【発明を実施するための形態】
【０００９】室内上部にサーキュレーター（登録商標）を、下部にフィルター型空気清浄機を、２つが部屋の対角線上に来るように設置する。この際、サーキュレーターは下向きに送風し、フィルター型空気清浄機は上向きに送風する。
【００１０】フィルター型空気清浄機を通過した空気は、はじめにフィルター型空気清浄機によって壁伝いに室内上部に送られる。天井に到達した空気は天井を伝い、つぎにサーキュレーターへ送られる。サーキュレーターに到達した空気はサーキュレーターによって壁伝いに室内下部に送られる。最後に、床に到達した空気は床を伝い、再度フィルター型空気清浄機を通過する。
【００１１】上記のように、本発明のシステムでは室内の空気を循環させ、効率よく室内の空気洗浄化することが可能である。
【００１２】また、室内が広く、上記のような空気の循環がサーキュレーター（登録商標）とフィルター型空気洗浄機の配置では難しい場合は、室内中央の天井部にサーキュレーター（登録商標）を設置し、両端の壁付近にフィルター型空気清浄機を設置する。中央で空気の流れを分断し、２種類の空気の流れを作ることで広い室内での効率的な空気清浄化が可能となる。
【産業上の利用可能性】
【００１３】本発明を用いることで従来のシステムと比べ、効果的な空気清浄化が期待される。一般家庭において、普段掃除が難しい場所に埃などが堆積することを防ぎ、常に室内の空気を清潔に保つことが可能となる。
(57)【要約】【課題】一旦筆書きした文字を拭き消すことができて反復使用可能で経済的であり、筆ペンさえあれば、他の下敷き、文鎮等の習字道具を要することなく、どこでも手軽に習字練習することができ、下に手本をおいてなぞる練習を行うこともできて、習字練習用に好適な習字練習用シートを提供することを課題とする。【解決手段】透視可能な和紙１を透明ないし半透明の樹脂フィルム２，３で挟んで成り、筆記した筆文字の拭き消しが可能であり、また、下に敷いた手本の文字が透視可能である。樹脂フィルム２，３は、ポリプロピレン樹脂フィルムである。【選択図】図１
2020076888.tif 000002
【特許請求の範囲】
【請求項１】
透視可能な和紙を透明ないし半透明の樹脂フィルムで挟んで成り、筆記した筆文字の拭き消しが可能であることを特徴とする習字練習用シート。
【請求項２】
下に敷いた手本の文字や下敷きの罫線が透視可能である、請求項１に記載の習字練習用シート。
【請求項３】
前記樹脂フィルムは、ポリプロピレン樹脂フィルムである、請求項１又は２に記載の習字練習用シート。
【発明の詳細な説明】
【技術分野】
【０００１】
本発明は習字練習用シートに関するものであり、より詳細には、拭き消し可能であって習字を練習するのに好適な習字練習用シートに関するものである。
【背景技術】
【０００２】
習字を行うためには、筆、墨、硯、半紙、下敷き、文鎮等の多くの道具が必要であり、墨をすったりする準備に手間と時間がかかる。そこで最近では、墨の代わりに墨汁が多く用いられ、また、手軽に利用できるところから、筆ペンも広く利用されている。習字は、主に半紙に筆書きするものであるが、言うまでもなく半紙は、書き直しができないので、練習のために多くの半紙が費やされることになる。
【０００３】
従来、筆書きの対象となる積層和紙が提案されている（実開昭６１−８３０００号公報）。この積層和紙は、不透明な樹脂フィルムの両側に和紙を積層一体化したもので、樹脂フィルムを介在させることにより、保存性を高めたものである。
【先行技術文献】
【特許文献】
【０００４】
【特許文献１】実開昭６１−８３０００号公報
【発明の概要】
【発明が解決しようとする課題】
【０００５】
上記積層和紙は不透明な樹脂フィルムの両側に和紙を積層一体化して保存性を高めたものであり、当然一般の半紙よりも高価なものとなる。そして、この積層和紙の場合、筆書きは外側の和紙に対して行うことになるため、一旦筆書きした文字を拭き消すことができず、また、中間に不透明な樹脂フィルムを挟み込むため、下に手本をおいてなぞる練習はできないので、練習用には適さない。
【０００６】
本発明は、上記背景の下になされたもので、一旦筆書きした文字を拭き消すことができて反復使用可能で経済的であり、筆ペンさえあれば、他の下敷き、文鎮等の習字道具を要することなく、どこでも手軽に習字練習することができ、下に手本をおいてなぞる練習を行うこともできて、習字練習用に好適な習字練習用シートを提供することを課題とする。
【課題を解決するための手段】
【０００７】
上記課題を解決するための請求項１に記載の発明は、透視可能な和紙を透明ないし半透明の樹脂フィルムで挟んで成り、筆記した筆文字の拭き消しが可能であることを特徴とする習字練習用シートである。
【０００８】
一実施形態においては、下に敷いた手本の文字が透視可能である。また、前記樹脂フィルムは、ポリプロピレン樹脂フィルムである。
【発明の効果】
【０００９】
本発明に係る習字練習用シートは上記のとおりであって、透視可能な和紙を透明ないし半透明の樹脂フィルムで挟んで成るので、一旦筆書きした文字を拭き消すことができるため、反復使用可能で経済的であり、筆ペンさえあれば、他の下敷き、文鎮等の習字道具を要することなく、どこでも手軽に習字練習することができ、下に手本をおいてなぞる練習を行うこともできるので、習字練習用に好適である。また、透明ないし半透明の樹脂フィルムを通して和紙が表出するので、高級な半紙の趣を呈する効果がある。
【図面の簡単な説明】
【００１０】
【図１】本発明に係る習字練習用シートの構成を示す部分切截斜視図である。
【図２】本発明に係る習字練習用シートの使用状態を示す斜視図である。
【発明を実施するための形態】
【００１１】
本発明を実施するための形態につき、添付図面を参照しつつ説明する。図１に示されるように、本発明に係る習字練習用シートは、透視可能な和紙１を透明ないし半透明の樹脂フィルム２，３で挟んで成るものである。例えば、樹脂フィルム２，３は、２０ミクロン前後の厚さのポリプロピレン樹脂フィルムであって、筆記した筆文字の拭き消しが可能である。
【００１２】
和紙１は、透視可能な薄手のものであり、また、樹脂フィルム２，３は透明ないし半透明であるため、下に敷いた下敷き４の罫線や手本の文字が透視可能となる。また、一般に和紙は高級品のイメージがあるが、本発明の場合はこの和紙１が、透明ないし半透明の樹脂フィルムを通して表出するので、本発明に係る習字練習用シートは、高級な半紙の趣を呈することになる。
【００１３】
本発明に係る習字練習用シートは、筆ペン、あるいは、一般の筆を用いて墨書きを行うものであるが、３層構造の表裏層が樹脂フィルム２，３であるために、ある程度の強靭性を備えていて、反り返ったりしない。そのため、文鎮や下敷きを用いることなく、直接机上等に置いて使用することもできる。そして、筆書きした文字は、畳んだティッシュ５等によって擦ることにより、簡単に拭き消すことができる（図２参照）。本発明に係る習字練習用シートは、通常の半紙大とされるが、携帯時等において二つ折りしても差し支えない。
【産業上の利用可能性】
【００１４】
本発明に係る習字練習用シートは上記のとおり、透視可能な和紙を透明ないし半透明の樹脂フィルムで挟んで成るものであって、製造容易で比較的低コストにて供給でき、一旦筆書きした文字をティッシュ等を用いて簡単に拭き消すことができて反復使用可能なため、極めて経済的であり、筆ペンさえあれば、どこでも手軽に習字練習することができ、下に手本等をおいてなぞる練習を行うこともできるので、習字練習用に好適なものであり、その産業上の利用可能性は大である。
【符号の説明】
【００１５】
１    和紙
２    樹脂フィルム
３    樹脂フィルム  
４    下敷き
５    ティッシュ
【図１】
2020076888.tif 000003
【図２】
2020076888.tif 000004
(57)【要約】      （修正有）【課題】喫煙用巻紙によって巻きタバコを作成する際、本体一枚の紙にフィルター箇所、巻紙箇所を兼ね備えた喫煙用巻紙を提供する。【解決手段】喫煙用巻紙の片側にフィルターとなる箇所２を設け、これを内側に一度おり毛細管現象もしくは糊により接着する上部３をのこし、その上部に向かって波状または、渦巻き状にフィルター箇所の紙を折り込むことでフィルターが構成され、フィルターを要した本体の巻紙にタバコの葉を乗せ巻き上げ、残した上部を毛細管現象もしくは糊で接着することで紙のフィルターを持ち合わせた巻きタバコとなる。【選択図】図１
2020130155.tif 000002
【特許請求の範囲】
【請求項１】
本体一枚の紙にフィルター箇所、巻紙箇所を兼ね備えたことを特徴とする喫煙用巻紙。
【請求項２】
喫煙用巻紙の片側にフィルター箇所を作り、これを内側に一度おり毛細管現象もしくは糊により接着する上部をのこし、その上部に向かって波状または、渦巻き状にフィルター箇所の紙を折り込むことでフィルターが構成される請求項１の喫煙用巻紙。
【請求項３】
残した上部を舐めるなどした水分により、毛細管現象もしくは糊で接着することで紙のフィルターを持ち合わせた巻きタバコとなる請求項１の喫煙用巻紙。
【発明の詳細な説明】
【技術分野】
【０００１】  この発明は本体一枚の紙にフィルター箇所、巻紙箇所を兼ね備えた喫煙用巻紙に関するものである。
【背景技術】
【０００２】  従来、喫煙用巻紙は巻紙箇所のみで構成され、フィルターは別で作成または市販のフィルターを使用していた。また、自作する紙のフィルターであっても紙の質、厚さがことなる為、同じ紙でフィルターと巻紙を一枚型とすることは不可能であった。
従来、喫煙用巻紙はプラスチックのフィルターを使用する場合、その廃棄物は環境への配慮に乏しく自然に戻るまでに長い年月を必要とした。
【先行技術文献】
【特許文献】
【０００３】
【特許文献１】特開２００４−００８２１１
【発明の概要】
【発明が解決しようとする課題】
【０００４】    これは次のような欠点があった。
従来、喫煙用巻紙にはフィルターはなく、別の紙でフィルターを自作するか、市販のプラスチック性フィルターを使用するしかなかった。
フィルターになり得るものがない場合も多く、フィルターを使用しない喫煙はタールやニコチンを必要以上に接種することになり、健康被害を招く危惧があった。
本発明は、以上のような欠点をなくすためになされたものである。
【課題を解決するための手段】
【０００５】  喫煙用の巻紙の片側にフィルターとなる箇所を特別な切断設計により設ける。
本発明は、以上の構成よりなる喫煙用巻紙である。
【発明の効果】
【０００６】  喫煙用巻紙とフィルター箇所が一枚で一体となっているので、タールやニコチンを低減するフィルターを別の紙で作成するか、もしくは市販のフィルターを使用する必要がなくなる。フィルター箇所も巻紙と同一の紙であるため合理的で環境にも配慮され、自然に返る時間も短い。
【図面の簡単な説明】
【０００７】
【図１】本発明の展開図である。
【図２】フィルター箇所を内側に一度折り込んだ図である。
【図３】フィルター箇所を波上、または渦巻状に織り上げた図である。
【発明を実施するための形態】
【０００８】  以下、本発明を実施するための形態について説明する。
切断により喫煙用巻紙の片側にフィルター箇所を作る。これを内側に一度おり毛細管現象もしくは糊により接着する上部をのこし、その上部に向かって波状または、渦巻き状にフィルター箇所の紙を折り込むことでフィルターが構成される。
フィルターを要した本体の巻紙にタバコの葉を乗せ巻き上げる。
残した上部を舐めるなどした水分により、毛細管現象もしくは糊で接着することで紙のフィルターを持ち合わせた巻きタバコとなる。
本発明は以上のような構造である。
本発明を使用するときは、フィルター箇所を内側に一度折る。これを上部に折り込むことでフィルターとなる。
【符号の説明】
【０００９】    １  巻紙箇所
２  フィルター箇所
３  接着箇所
４  折り線
【図１】
2020130155.tif 000003
【図２】
2020130155.tif 000004
【図３】
2020130155.tif 000005
(57)【要約】      （修正有）【課題】スイカ、メロンの小動物被害対策器を提供する。【解決手段】全体はステンの金網で出来ており、開閉できるとともに、開けることにより果実の肥大に沿って果梗部が移動でき収納時に側面に折り畳むことが可能な小動物被害対策器。【選択図】図１
2020130157.tif 000002
【特許請求の範囲】
【請求項１】
スイカ、メロン１玉ずつを、目の細かい金網で囲む構造。
【請求項２】
折り畳んで構造物をコンパクトに収納出来る。
【発明の詳細な説明】
【技術分野】
【０００１】本発明は、スイカ、メロンを小動物から受ける被害を防ぐための物である。
【発明の概要】
【０００２】従来、直接スイカ、メロンを守る機具が無いために考えた物である。
【発明の効果】
【０００３】スイカ、メロンを金網で囲むことにより、小動物の歯、爪から守る事が出来る。
【図面の簡単な説明】
【０００４】
【図１】製品の全体像図である。
【図２】製品を、折り畳んだ時の図である。
【０００５】以下、本発明の実施の形態を図面に基づいて説明する。【０００６】図１において１は開閉できる。
２は開ける事により果実の肥大に沿って果梗部が移動できる。
３は収納時に側面に折り、畳む。
４は折り込む為、２枚のパーツで出来ている。
【発明を実施するための形態】
【０００７】全体はステンの金網で出来ている事で、持久力が生まれる。
【０００８】柱部はステンレス棒を使う。
【０００９】各パーツはリングで繋ぐ。
【農業上の利用可能性】
【０００８】鳥類、小動物の被害が著明で有る故、それを防御する為大変な労力を要している。
【図１】
2020130157.tif 000003
【図２】
2020130157.tif 000004
(57)【要約】【課題】普通のペット用食器では、ドライフードを早食いしてしまい肥満のペットが多くなっています。玩具のドライフードを、一粒ずつゆっくり食べさせる事が出来る商品は、作りが複雑な物が多く、毎日洗ってきれいに乾燥させるのは難しい上に、ドライフードを沢山入れる事は難しいと思われます。【解決手段】この発明は、ペット用食器に開口部分が数ヶ所開いた蓋を取り付け、ドライフードを数粒ずつ出して食べる事により、ペットの早食いの防止、又肥満の予防に考慮した蓋のペット用食器になります。玩具との違いは、シンプルな構造にする事で毎日洗って乾燥も容易にでき、食器を清潔に保つことが出来ます。ドライフードを入れる部分は、１〜５回分の食事量のドライフードが入る、大きさにも考慮した食器になります。【選択図】図１
2020130158.tif 000002
【特許請求の範囲】
【請求項１】
食器本体（７）の上に、開口部分（５）がある蓋本体（２）をかぶせ、開口部分の形は、略楕円形状・円形状・四角形状・三角形状・星形形状・ハート形状・猫の足跡形状・その他、種々なデザインができ、開口部分（５）の位置については、食器のふち直ぐの位置に開口したり、食器のふちから数センチの位置に開口したり、開口部分（５）のデザインや位置によって、蓋の開口部かえし部分（６）が出来る開口部分（５）を特徴とする蓋である。図４参照
【発明の詳細な説明】
【発明の詳細な説明】
【技術分野】
【０００１】この発明は、ペット用食器の上に開口部をもうけた蓋をする事により、毎日のドライフードの、食事スピードを緩やかにする為のペット用食器に関する物である。
【背景技術】
【０００２】早食いを防止する為の食器は、内部に障害物をもうけた食器がある。【０００３】一般には、ドライフードを一粒二粒ずつ出して、食事のスピードを緩やかにする玩具がある。
【先行技術文献】
【特許文献】
【０００４】
【特許文献１】特開２００９−２２１９５号公報
【特許文献２】特開２０１８−１２６１０６号公報
【発明の概要】
【発明が解決しようとする課題】
【０００５】これまでは、ペットの早食いを緩やかにする商品は玩具が多く、食事の量のドライフードは入らない。【０００６】玩具は、複雑な作りの物が多く、食事後に洗いづらく、完全に乾燥をさせるのに時間がかかる。【０００７】玩具の中で、ボールの形状におやつを入れて転がす物がありますが、転がす時に、ドライフードの粉が床を広い範囲汚します。
【課題を解決するための手段】
【０００８】ペット用食器に、開口部が数ヶ所開いた蓋を取り付け、ドライフードを数粒ずつ出して食べる事により、ペットの早食いの防止、又肥満の予防に考慮した食器になります。【０００９】シンプルな構造にする事で、毎日洗って乾燥も容易にでき、食器を清潔に保つことが出来ます。【００１０】ドライフードを入れる部分は、１〜５回分の食事量のドライフードが入る、大きさにも考慮した食器になります。【００１１】大きめのトレイの上に、ペット用食器を置く事で、ドライフードを数粒外にだしても、トレイの範囲内で汚れをおさえる事が出来ます。
【発明の効果】
【００１２】ドライフードをゆっくりと食べる事により、満腹中枢が上がり、肥満防止に繋がり、肥満からくる病気の予防になると思われます。
【図面の簡単な説明】
【００１３】
【図１】本発明に係わるペット用食器の外観図である。
【図２】ペット用食器の平面図である。
【図３】ペット用食器の断面図である。
【図４】蓋のデザイン（開口部の大きさ・数・デザイン）である。
【発明を実施するための形態】
【００１４】本発明を図面により説明するが、本発明はこれに限定されるものではない。
【００１５】蓋本体（２）の開口部分（５）の形状は、略楕円形状・円形状・四角形状・三角形状・星形形状・ハート形状・猫の足跡形状・その他、種々な形状を模した形状等であってもよく、ペットの前足が出し入れしやすい形状であれば、特に制限されるものではない。
【００１６】蓋本体（２）の開口部分（５）の大きさと数については、食器本体（７）の大きさや形に合わせて、開口部分（５）の大きさを大きくしたり、数を増やしたりする事が出来る為、特に制限されるものではない。
【００１７】蓋本体（２）のかえし部分（６）は、開口部分（５）の位置やデザインによって様々な形で作る事が出来る。
かえしがない蓋上部（３）でもよいが、かえし部分（６）があるデザインにする事で、餌を取る時の難易度を上げる事が出来る。
かえし部分（６）があるデザインでも、かえし部分（６）は、折り曲げる事が出来るような作りにする事で、使うペットの能力や体調によって、ドライフードの出る量を調節する事も出来る。
【００１８】開口部分（５）の位置については、食器のふち直ぐの位置に開口したり、食器のふちから数センチの位置に開口したりするなど、特に制限されるものではない。
【００１９】蓋本体（２）に開口部分（５）が開いており、遊びながら数粒ずつ餌を取り出す時に、蓋上部（３）が壊れない素材であれば、特に制限されるものではない。
（柔軟性素材：柔らかいゴム・軟質樹脂・シリコン・プラスチックなど）
（硬い素材：ステンレス・陶器・ガラス・金属製・アルミ・スチールなど）
【００２０】蓋本体（２）の特徴について、開口部分（５）から前足を出し入れする為に、蓋側面（４）を外れにくくする工夫が必要である。
柔軟性素材などで蓋本体（２）を作る時は、覆いかぶすように外に出し、陶器などで蓋本体（２）を作る時は、蓋の側面の外側を滑りにくい素材にする事で、蓋本体（２）を外れにくくする。
ペット用食器（１）から蓋本体（２）が外れにくい形状であれば、特に制限されるものではない。
【００２１】食器本体（７）は、ペットである猫又は犬が主食とする主食用の餌を、収容するものであり、食器側面（８）及び食器底面（９）からの構成になります。
食器本体（７）に餌が入る形状であれば、特に制限されるものではない。
（内部は餌が沢山入る収容空間を作る）
【００２２】食器本体（７）の曲線部分（１０）の角度について、開口部分（５）から前足を出し入れする時に、転がらないような形状であれば、特に制限されるものではない。
【００２３】食器本体（７）の素材としては、開口部分（５）に前足を出し入れする時に、中の餌がひっくり返らない程度の重さがある物が好ましい、ステンレス・陶器・ガラス・金属製・アルミ・スチールなど、特に制限されるものではない。
【符号の説明】
【００２４】１    ペット用食器（食器・蓋）
２    蓋本体（上部・側面）
３    蓋上部
４    蓋側面
５    蓋の開口部分
６    蓋の開口部かえし部分（折りかえし部分）
７    食器本体（収容空間）
８    食器側面
９    食器底面
１０  食器の曲線部分（食器側面と底の間の角度）
【図１】
2020130158.tif 000003
【図２】
2020130158.tif 000004
【図３】
2020130158.tif 000005
【図４】
2020130158.tif 000006
(57)【要約】【課題】  誘引性能に優れ、コバエ等の捕獲が良好に行われる誘引捕獲器を提供することを目的とする。【解決手段】  容器２内部に固形誘引剤３を収納するとともに、容器２面に誘引捕獲のための捕獲用開口１０を備える誘引捕獲器において、捕獲用開口１０が、容器２の側壁４の周面に沿って固形誘引剤３に相対するように設けられてなるもの。【選択図】  図２
2020130114.tif 000002
【特許請求の範囲】
【請求項１】
容器内部に固形誘引剤を収納するとともに、前記容器面に誘引捕獲のための捕獲用開口を備える誘引捕獲器において、
前記捕獲用開口が、前記容器の側壁の周面に沿って前記固形誘引剤に相対するように設けられてなることを特徴とする誘引捕獲器。
【発明の詳細な説明】
【技術分野】
【０００１】
この発明は、コバエ等を捕獲するための誘因捕獲器に関する。
【背景技術】
【０００２】
従来から、誘因成分を含む薬剤を容器内に収容し、コバエ等の小虫を容器内に誘引して捕獲する誘因捕獲器が用いられている。（特許文献参照）
【先行技術文献】
【特許文献】
【０００３】
【特許文献１】特開２０１２‐１６２５２１
【発明の概要】
【発明が解決しようとする課題】
【０００４】
上記誘引捕獲器は上面に捕獲用開口が設けられ、その捕獲用開口から放出される誘引成分に誘引されてコバエ等が容器内に導かれるが、誘引性能が十分でなくコバエ等の捕獲が良好に行われない問題があった。これは、誘引成分が容器内の誘引剤から揮散して上部の捕獲用開口から放出されるが、その放出時には誘引成分の濃度が低くなっていることが原因と考えられる。
【０００５】
この発明では、誘引性能に優れ、コバエ等の捕獲が良好に行われる誘引捕獲器を提供することを目的とする。
【課題を解決するための手段】
【０００６】
この発明では、容器内部に固形誘引剤を収納するとともに、前記容器面に誘引捕獲のための捕獲用開口を備える誘引捕獲器において、前記捕獲用開口が、前記容器の側壁の周面に沿って前記固形誘引剤に相対するように設けられてなるものを提供する。
【０００７】
上記構成によれば、捕獲用開口が容器の側壁の周面に沿って固形誘引剤に相対するように複数個設けられていることで、誘引捕獲器内の固形誘引剤の周囲空間の風通しが良好となり、捕獲用開口から容器内へ至った風が固形誘引剤表面に直接に当たることでより濃度の高い誘引成分が捕獲用開口から放出され、良好な捕獲性能が発揮される
【０００８】
容器は、台形状、円柱状等の適宜形態のものが用いられる。固形誘引剤としてはゲルが用いられる。捕獲用開口は誘引成分の放出とコバエ等の侵入を可能とする形態であれば適宜であってよく、とくに、捕獲用開口が側壁の下部に設けられてなる構成とされることで、使用に伴う揮発により固形誘引剤の高さが低くなった場合にも捕獲用開口に固形誘引剤が相対して、捕獲性能が低下することが無い。
【発明の効果】
【０００９】
この発明によれば、誘引性能に優れ、コバエ等の捕獲が良好に行われる誘引捕獲器が得られる。
【図面の簡単な説明】
【００１０】
【図１】この発明の誘引捕獲器の実施形態の外観斜視図
【図２】この発明の誘引捕獲器の実施形態の断面構成図
【図３】この発明の誘引捕獲器の実施形態の製品提供時の断面構成図
【図４】この発明の誘引捕獲器の実施形態の製品使用説明図
【発明を実施するための形態】
【００１１】
図１はこの発明の誘引捕獲器の外観斜視図、図２は同断面図であり、誘引捕獲器１は容器２内部に固形誘引剤３が収納されて構成されている。
【００１２】
容器はプラスチックス製で、カバー部５と底部７とからなり、全体が平面形状を略長方形とする略角錐台形態を呈する。底部７は中央に柱状の突起部９を備え、この突起部９に保持されて円柱ゲル状の固形誘引剤３が底部７上に設置されている。固形誘引剤３は揮発性で殺虫成分を含有する。捕獲用開口１０は容器２のカバー部５と底部７との接合部に位置して設けられ、容器２の４側壁４の下部それぞれに横長方向に設けられている。
【００１３】
誘引捕獲器１は、図３に示すように、固形誘引剤３が内部に充填されたカップ１３が底部７上に設置された状態で提供され、図４に示すように底部７からカバー部５が取り外され、カップ１３が上方に離脱されて誘引剤３が露呈する状態とされ、再び底部７にカバー部５が装着されて使用される。固形誘引剤３はカップ１３が底部７上に設置された状態において上部の開口から充填され、その開口はキャップ９により閉じられている。カバー部５は上面部１５の下面に環状凸部１７を備え、その環状凸部１７によりカップ１３はその上面が固定されている。
【００１４】
使用に際し、誘引捕獲器１に捕獲用開口１０のそれぞれが容器２の側壁４の周面に沿って固形誘引剤に相対するように複数個設けられていることで、誘引捕獲器１内の固形誘引剤３の周囲空間の風通しが良好となり、一方の捕獲用開口１０から容器２内へ至った風が固形誘引剤３表面に直接に当たることでより濃度の高い誘引成分が他方の捕獲用開口１０から放出され、良好な捕獲性能が発揮される。固形誘引剤３は揮発性で使用に伴い小形となってその高さが低くなるが、捕獲用開口１０が容器２の４側壁４の下部に設けられているので、その高さが低くなった場合にも捕獲用開口１０に固形誘引剤３が相対し、上記と同様にして良好な捕獲性能が維持される。捕獲用開口１０から侵入したコバエは固形誘引剤３表面に至り、固形誘引剤３内の殺虫成分を食し、また、殺虫成分に接触することで死に至り、固形誘引剤３の周囲に落下する。
【００１５】
（実験例）
ショウジョウバエ１００匹を放った６畳の空間内に誘引捕獲器１を設置したところ、１時間に７１匹が捕獲された。同条件において従来例の誘引捕獲器（誘引捕獲器１と同じ固形誘引剤を使用）を設置したところ、１時間に３８匹が捕獲された。このことから誘引捕獲器１が高い捕獲性能を発揮することが確認された。
【符号の説明】
【００１６】
１    誘引捕獲器
２    容器
３    固形誘引剤
４    側壁
５    カバー部
７    底部
１０  捕獲用開口    
【図１】
2020130114.tif 000003
【図２】
2020130114.tif 000004
【図３】
2020130114.tif 000005
【図４】
2020130114.tif 000006
(57)【要約】      （修正有）【課題】檻に入った害獣（クマやイノシシ等）を外から挿入して気絶（仮死状態等）させることを実現させる害獣用スタンガンを提供する。【解決手段】棒体２の先端部にスタンガン３を設け、手元でＯＮ・ＯＦＦできるスイッチ４を設けたもので、害獣が入った檻の柵に挿入する大きさとすることを特徴とする。【選択図】図１
2020130161.tif 000002
【特許請求の範囲】
【請求項１】
棒体の先端部にスタンガンを設け、手元でＯＮ・ＯＦＦできるスイッチを設けたもので、害獣が入った檻の柵に挿入する大きさとすることを特徴とする害獣用スタンガン。
【請求項２】
前記スタンガンの電極を針状し、害獣の皮膚を突き抜けることを特徴とする請求項１記載の害獣用スタンガン。
【請求項３】
前記棒体が伸縮自在に形成してなることを特徴とする請求項１又は２記載の害獣用スタンガン。
【請求項４】
前記棒体に、押え具を設けてなることを特徴とする請求項１・２又は３記載の害獣用スタンガン。
【発明の詳細な説明】
【技術分野】
【０００１】  本発明は、主に檻に入った害獣を外から気絶させるための害獣用スタンガンに関するものである。
【背景技術】
【０００２】  従来の技術として、長柄の先端に設けた捕捉部の内側にスタンガンの接触子を配置し、長柄の先端側に催涙スプレー装置を配置させ、且つ、長柄の後端側にスタンガン用ボタンと催涙スプレー用ボタンとが少なくとも設けられた操作盤を配置させるものがある。（特許文献１参照）【０００３】  また、別の従来技術として、刺股の枝分かれしたＵ字型部分にスタンガン電極を配置することにより、その放電音、放電光で相手を威圧し、場合により接触させることで相手が所持している凶器を排除できるものがある。（特許文献２参照）
【先行技術文献】
【特許文献】
【０００４】
【特許文献１】実用新案登録第３１９９１６６号公報
【特許文献２】特開２００７−２４４８０号公報
【発明の概要】
【発明が解決しようとする課題】
【０００５】  前記前者及び前記後者は、人を対象にしたもので、必然的に構造が異なり、本発明のような檻の中に入れられる形態のものではない。【０００６】  本発明は、このような従来の構成が有していた問題を解決しようとするものであり、主に檻に入った害獣（クマやイノシシ等）を外から挿入して気絶（仮死状態等）させることを実現させる害獣用スタンガンを提供することを目的とする。
【課題を解決するための手段】
【０００７】  本発明は上記目的を達成するために、棒体の先端部にスタンガンを設け、手元でＯＮ・ＯＦＦできるスイッチを設けたもので、害獣が入った檻の柵に挿入する大きさとすること。前記スタンガンの電極を針状とすること。前記棒体が伸縮自在に形成してなること。押え具を設けることを特徴とする。
【発明の効果】
【０００８】１）、棒体の先端部に檻の柵に挿入して中の害獣をスタンガンの電極を突き刺すと同時に電流を流して気絶（仮死状態等）させることにより、檻等から害獣を外へ引き出すことができ、暴れることなく、かつ血を流すことなく、口輪や足を縄掛けて別の場所に移動させるのが容易に行える。
２）、くくり罠においても、暴れる害獣を一瞬に気絶（仮死状態等）にできる。
【図面の簡単な説明】
【０００９】
【図１】  本発明の一実施例を示す害獣用スタンガンの構成図。
【図２】  本発明の一実施例を示す害獣用スタンガンの使用状態図。
【発明を実施するための形態】
【００１０】  害獣用スタンガン１は、伸縮自在な棒体２の先端部に電極３ａ・３ａを針状にしたスタンガン３を設け、手元でＯＮ・ＯＦＦできるスイッチ４を設けると共に、バッテリー５を付設してなるものである。
なお、スタンガン３の縦寸法Ｓ・横寸法Ｓ１を檻に挿入できる大きさとする。
また、必要に応じて棒体の先端部に害獣が暴れるのを押える押え具を設けてもよい。
【００１１】  害獣用スタンガン１の使用例について説明する。
例えば、檻Ｏの中に入ったイノシシＩに対して柵Ｓより内部に害獣用スタンガン１のスタンガン３を挿入する。
この時、柵ＳＫのピッチＰに対しスタンガン３はスムーズに挿入でき、スイッチ４をＯＮにしてスタンガン３の先端の電極３ａ・３ａをイノシシＩの心臓付近に突き刺すことにより、バッテリー５より大電流が流れ、イノシシＩを気絶（仮死状態等）させることができる。
その後、イノシシＩを檻Ｏの外へ出し、口輪や足に縄を掛け（図示せず）、移動するものである。
この時、イノシシＩは暴れることなく、作業がスムーズに行えるものである。
【００１２】  上記害獣用スタンガンにおいて、棒体の長さやバッテリーの容量等は、必要に応じて決めればよい。
また、電流値は害獣によって多少異なり、バッテリーにコンロトーラーを設けることも一考である。
さらに、檻以外のくくり罠に掛かった害獣においても、一瞬に気絶（仮死状態等）させることができる。
【符号の説明】
【００１３】１―――害獣用スタンガン
２―――棒体
３―――スタンガン
４―――スイッチ
５―――バッテリー
Ｓ―――縦寸法
Ｓ１――横寸法
Ｏ―――檻
Ｐ―――ピッチ
Ｉ―――イノシシ
【図１】
2020130161.tif 000003
【図２】
2020130161.tif 000004
(57)【要約】      （修正有）【課題】食道発声法では、呼気の圧力が食道の形状を変形させて音声の音量と明瞭性を低下しないよう、無発生時の食道の形状を発声時も維持できる食道形状維持装置を提供する。【解決手段】食道発声時に、呼気の圧力により食道が変形する事を防止する食道形状維持装置と、これを２本の鎖骨頭筋に挟まれた部分に固定する固定用ステーと固定用リングからなる食道発声補助装置を提供する。【選択図】図２
2020130988.tif 000002
【特許請求の範囲】
【請求項１】
食道発声時に、呼気の圧力により食道が変形する事を防止する食道形状維持装置と、これを２本の鎖骨頭筋に挟まれた部分に固定する固定用ステーと固定用リングからなる食道発声補助装置。
【請求項２】
食道発声補助装置の固定用ステーと固定用リングにそれぞれ独立した固定用ケーブルを設置し、食道形状維持装置を首に固定することで、食道形状維持装置の固定の力学的支点が「首の鎖骨頭筋の上に置かれること」を特徴とする食道発声補助装置の固定方法。
【発明の詳細な説明】
【技術分野】
【０００１】本発明は、食道発声法で社会生活に必要な音量と明瞭性を持った音声を、容易に発音させる機能を持つ食道発声補助装置と、それを効果的に使用するための体への固定方法、とに関するものである。
【背景技術】
【０００２】喉頭の摘出手術で声帯による発声が不可能となった者（以下、喉摘者と略）の声帯発声に替わる発声方法に、食道の粘膜を振動させることによって音を出しこれを音声に似せる、食道発声法がある。発声法には、空気を一旦食道に飲み込み、腹の圧力で押し出し、食道の粘膜を振動させる方法や、手術で食道と気管を繋ぐことで、気管から食道に呼気を当てて食道の粘膜を振動させる方法などがある。
【発明の概要】
【発明が解決しようとする課題】
【０００３】食道発声法では、呼気の圧力で食道が変形してしまい、それが原因で音声の音量と明瞭性が低下してしまうという現象が起こる。この現象は人によって程度に差があり、発声を断念するほど深刻な喉摘者もおり、この現象の対策が大きな課題である。
【課題を解決するための手段】
【０００４】課題を解決するための手段として、食道発声時の呼気の圧力で食道が変形し音声の音量・明瞭性が低下しないよう、無発声時の食道の形状を発声時も維持できる食道形状維持装置を考案し、これを用いた食道発声補助装置を設計・作成した。また、食道発声補助装置が有効に働く体への固定方法を同時に考案・検証した。
呼気による食道の変形と、食道周りの生物学的構造体の関係を比較調査した結果、
▲１▼呼気による食道の変形は、首の２本の鎖骨頭筋に挟まれた部分に顕著に起こる。この部分に円筒形状の食道形状維持装置を取り付けることで、無発声時の食道の形状を発声時も維持できる、との結論が得られた。
▲２▼この食道形状維持装置を首の２本の鎖骨頭筋に挟まれた部分に装着するとき、装置を固定する固定具の力学的支点が鎖骨頭筋の上にないと、食道形状維持装置の効果が発揮されないことを発見した。
食道形状維持装置に▲２▼を実現す固定用ステーと固定用リングを設計・作成し、三者を一体化して、食道発声補助装置を完成した。
それとともに、固定用ステーと固定用リングに独立した固定ケーブルを設置し首に取り付けることで、力学的支点が鎖骨頭筋の上に容易に置くことができる固定方法を発見した。
【発明の効果】
【０００５】本発明に基づく食道発声補助装置を、本発明の固定方法で装着したところ、呼気に影響さない、良好な音量と明瞭な音声が得られた。
【図面の簡単な説明】
【０００６】
【図１】本発明の食道発声補助装置の正面図と側面図である
【図２】本発明の食道発声補助装置を首に固定する方法を表す図面である
【図３】本発明の有用性を示す音声データのグラフである
【発明を実施するための形態】
【０００７】本発明に示す食道発声補助装置（〔図１〕）の基本構造は下記１〜３の通りである。
１．食道形状維持装置は円筒型であり、円周で首に接する。
２．固定用ステーは、２本の鎖骨頭筋の間隔とほぼ同じ長さに設定する。これよりも長くても短くても発声補助効果が減少する。
３  固定用リングは、１．食道形状維持装置本体の上端に設置する。位置がずれると発声補助効果が減少する。
食道発声補助装置が有効に効果を発生するように首に設置するための望ましい形態は、食道発声補助装置の固定のための力学的支点が、鎖骨頭筋肉上におかれることである（〔図２〕）。食道発声補助装置を首に固定する方法は、固定用ステーと固定用リングにそれぞれ独立した固定用ケーブル類（例として麻紐やプラスチック固定バンドなど）を設置し、これを首に巻き固定する方法が、力学的要求を満足する簡便な方法である。
【実施例】
【０００８】食道発声補助装置の有無で、音声の品質がどう変わるか、アンドロイド用騒音計ソフトでサンプリングを行い、音声の波形で音声の明瞭性を、音圧（ｄＢ）で音量を評価した。
食道発声法としては気管食道発声法で行い、発声のために呼気を食道に流すための気管孔封鎖器具としては、気管食道用スピーチバルブ３６２４５０００を用いた。このスピーチバルには、（Ａ）．人間の指で気管孔を封鎖するノーマルスピーチバルブ、（Ｂ）．呼気の強さで気管孔を自動封鎖するフリーハンズスピーチバルブ、の２種を供試した。
食道発声補助装置の首への固定具には綿の組み紐を用いた。
音声は、中原中也作詞「汚れっちまった悲しみに」の冒頭８行を朗読し、音声データとした。その結果の音圧波形データを〔図３〕に示す。縦の点線は詩のセンテンスを示す。
結果１．の食道発声補助装置を用いていない音声データでは、詩のセンテンス内で波形が三角形になっており、朗読中に音量のばらつきが起こっている事を示す。特に（Ｂ）フリーハンズスピーチバルブの音声データでは、波形が詩のフレーズとは無関係なノコギリ波形になっており、ランダムな発音の連続としか聞こえず、社会的会話が出来るレベルにない。
結果２．の食道声補助装置を用いた音声データでは、いずれのスピーチバルブでも詩のセンテンスに対応した台形の波形が表れており、音圧（ｄＢ）も平均的に７０ｄＢ以上あり、朗読された詩が鮮明に聞き取れるレベルである。
この結果から、食道発声補助装置の有用性が確認された。
【産業上の利用可能性】
【０００９】現在、食道発声の音声の音量・明瞭性を改善する器具は公知されておらず、マイク／スピーカーで音量を拡大する装置はあるが、音声の明瞭化は実現できない。これらの問題で人との会話に困難が伴い、おのずと人／社会と距離を置き閉鎖的な生活となる喉摘者も見られる。本発明の食道発声補助装置は安価に作成でき、簡便に使用できるものであり、発声に問題を抱える人に広く提供されうる性格のものである。産業上、新規の福祉器具として製造販売される商品価値を持つものと考える。また、この食道発声補助装装置の利用拡大により、喉摘者の社会活動への参加の幅が広がると考える。
【図１】
2020130988.tif 000003
【図２】
2020130988.tif 000004
【図３】
2020130988.tif 000005
(57)【要約】【課題】粘着クリーナーに於いて、ゴミが付着し、粘着力がなくなった粘着テープを剥がす時、剥がし難く、また剥がす途中で粘着テープが破れ、こから先剥がすのが厄介でイライラすることが多かった。【解決手段】柔軟性の細幅バンドの一端に留め部を設け、他端に磁着部を設けた粘着クリーナー剥離バンドを、粘着クリーナーのテープ受けの軸に留め部で取り付け、反対側のテープ受け側面に設けてある鉄板に磁着させて使用する。使用法は、粘着クリーナー剥離バンドを取り付けたテープ受けに粘着テープを挿入し、その粘着テープに粘着クリーナー剥離バンドを密着し、使用する。使用後、磁着部を持って汚れた粘着テープを持ち上げ、粘着テープを剥離した後、粘着クリーナー剥離バンドを、粘着テープに再度密着させ、汚れた粘着テープを粘着クリーナー剥離バンドに沿って切り取る。これを繰り返しながら使用する。【選択図】図２
2020130986.tif 000002
【特許請求の範囲】
【請求項１】
柔軟性の細幅バンドに於いて一端に留め具を設けて留め部と成し、他端にマグネットを設けて磁着部と成し、粘着クリーナーにおけるテープ受けの芯部に挿入された軸の根元際に留め部を装着し、反対側のテープ受け側面に被磁着材を設置しており、そこに磁着部を磁着させて使用されることを特徴とする粘着クリーナー剥離バンド。
【発明の詳細な説明】
【技術分野】
【０００１】  本発明は、粘着クリーナーの粘着テープを剥がす剥離バンドに関するものである。
【背景技術】
【０００２】  従来の粘着クリーナーは、ゴミが付着し、粘着力が無くなった時、粘着テープを剥がし、新しい粘着面を出して使用していた。
【発明の概要】
【発明が解決しようとする課題】
【０００３】  そのために、次のような問題点があった。
▲１▼粘着テープを剥がす位置が分かり難い。
▲２▼粘着テープを剥がす際、剥がす途中で粘着テープが破れ、剥がすのに手こずっていた。
▲３▼着テープを剥がす面に、紙屑、糸屑、髪の毛が付着すると、粘着テープを剥がすとき、その部分で粘着テープ破れてしまう。
▲４▼畳やクッションフロアーに使用すると、粘着テープが床に貼り付いてしまうことがある。
本発明は、これらの問題点を解決するためになされたものである。
【課題を解決するための手段】
【０００４】  柔軟性の細幅バンドに於いて一端に留め具を設けて留め部と成し、他端にマグネットを設けて磁着部と成し、粘着クリーナーにおけるテープ受けの芯部に挿入された軸の根元際に留め部を装着し、反対側のテープ受け側面に被磁着材を設置しており、そこに磁着部を磁着させて使用される。
以上を特徴とする粘着クリーナー剥離バンド。
【発明の効果】
【０００５】▲１▼剥離バンドの磁着部を持って、持ち上げるだけで、粘着テープが途中で破れることなく容易に剥がせる。
▲２▼ゴミが付着した粘着テープを剥がす位置を探す必要がなく、瞬時に剥がせる。
▲３▼剥がす面に紙屑、糸屑、髪の毛が付着していても、粘着テープが破れることなく剥がせる。
▲４▼最も貼り付き易い部分に、剥離バンドが被さっているで、畳やクッションフロアで使用しても、粘着テープがフロアに貼り付ことがない。
▲５▼粘着テープを切取る際、本発明に沿って引き裂けば、簡単に切れ、切り口もきれいに切れる。
【図面の簡単な説明】
【０００６】
【図１】本発明の斜視図
【図２】本発明を粘着クリーナーのテープ受けの軸に取付た状態を示す斜視図
【図３】テープ受けに粘着テープを装着して、本発明を粘着テープに密着させて使用可能な状態を示す斜視図
【図４】本発明を使用して、粘着テープの汚れ域を切除するために剥離している状態を示す斜視図
【図５】本発明に於いて粘着テープの未使用面に再セッテングしている状態の斜視図
【図６】ゴミが付着した粘着テープを本発明に沿って切り取る状態を示す斜視図
【発明を実施するための形態】
【０００７】  以下、本発明の実施の形態を説明する。
図１のように柔軟性細幅バンド（１）の一端に留め部（２）を設け、他端に磁着部（３）を設けた本発明を図２のように粘着クリーナーのテープ受け（５）の芯部に挿入された軸（４）の根元際に留め部（２）を装着し、反対側のテープ受け（５）の側面に被磁着材（６）を設置しており、そこに磁着部（３）を磁着させて使用される。
装着された留め部（２）は、軸（４）を中心として回転出来る構造に成っている。
本発明は、以上のような構成である。
【０００８】  本発明の使用法について説明する。
図３に示すように本発明を粘着テープ（７）に密着させ、磁着部（３）で被磁着材（６）に磁着させて固定する。
図３の状態で取っ手（８）を持って、掃除する所を転がしてゴミをを粘着テープ（７）に付着させゴミを取る。
ゴミが付着して粘着力がなくなった時は、図４のように磁着部（３）を持ち上げて粘着テープ（７）を剥離し、図５のようにゴミ付着の粘着テープ（９）と粘着テープの未使用面（１０）の界の未使用面側に本発明の構成の一部である、柔軟性細幅バンド（１）を再密着させ、図６のように柔軟性細幅バンド（１）に沿って粘着テープ（７）を切り取り、図３の状態にして再使用する。
【符号の説明】
【０００９】  １  柔軟性細幅バンド
２  留め部
３  磁着部
４  軸
５  テープ受け
６  被磁着材
７  粘着テープ
８  取っ手
９  ゴミ付着の粘着テープ
１０  粘着テープの未使用面
【図１】
2020130986.tif 000003
【図２】
2020130986.tif 000004
【図３】
2020130986.tif 000005
【図４】
2020130986.tif 000006
【図５】
2020130986.tif 000007
【図６】
2020130986.tif 000008